【手続補正書】
【提出日】平成17年9月29日(2005.9.29)
【手続補正１】
【補正対象書類名】明細書
【補正対象項目名】特許請求の範囲
【補正方法】変更
【補正の内容】
【特許請求の範囲】
【請求項１】
装置本体のキースイッチ部を有するキーボード収納部に表面側または裏面側のいずれかの面を上に向けて装着することにより、装置のキー入力を行うことのできるリバーシブルキーボードであって、
撓みによりキー入力を行う第１キー手段及び第２キー手段と、これら第１キー手段及び第２キー手段を上下に重ね合わせた状態で収納保持するとともに、前記キースイッチ部に対向して開口部が形成されたキーキャビネットとからなり、
前記第１キー手段を前記開口部の表面側から押し下げすることにより、その開口部の第１キー手段及び第２キー手段が裏面側に撓み、かつ第２キー手段が開口部から裏面側に突出することにより、対向するキースイッチ部を押し下げすることを特徴とするリバーシブルキーボード。
【請求項２】
前記第１キー手段及び第２キー手段には、前記開口部に凸部が形成されていることを特徴とする請求項１に記載のリバーシブルキーボード。
【請求項３】
前記第１キー手段及び第２キー手段が一体的に形成されていることを特徴とする請求項１に記載のリバーシブルキーボード。
【請求項４】
前記第１キー手段及び第２キー手段は、前記開口部に凸部が形成され、かつ一体的に形成されていることを特徴とする請求項１に記載のリバーシブルキーボード。
【請求項５】
装置本体のキースイッチ部を有するキーボード収納部に表面側または裏面側のいずれかの面を上に向けて装着することにより、装置のキー入力を行うことのできるリバーシブルキーボードと、前記キーボード収納部に装着されたリバーシブルキーボードの装着面側方向に応じてキー入力による制御機能を手動で切り替えるキー入力切替手段とを備えたことを特徴とする情報処理装置。
【請求項６】
装置本体のキースイッチ部を有するキーボード収納部に表面側または裏面側のいずれかの面を上に向けて装着することにより、装置のキー入力を行うことのできるリバーシブルキーボードを有する情報処理装置であって、
前記キーボード収納部に装着された前記リバーシブルキーボードをロックするロック機構部と、このロック機構部によりロックが解除されると前記リバーシブルキーボードを前記キーボード収納部から押し上げる押上手段と、前記リバーシブルキーボードの前記キーボード収納部への装着の有無を検出する第１検出手段とを備え、
前記第１検出手段は、前記押上手段による前記リバーシブルキーボードの押し上げ動作に連動してリバーシブルキーボードの装着の有無を検出することを特徴とする情報処理装置。
【請求項７】
装置本体のキースイッチ部を有するキーボード収納部に表面側または裏面側のいずれかの面を上に向けて装着することにより、装置のキー入力を行うことのできるリバーシブルキーボードを有する情報処理装置であって、
前記キーボード収納部に装着された前記リバーシブルキーボードをロックするロック機構部と、このロック機構部により前記リバーシブルキーボードが前記キーボード収納部にロックされている状態で、前記リバーシブルキーボードのがたつきを防止する拘止手段とを備えたことを特徴とする情報処理装置。
【請求項８】
装置本体のキースイッチ部を有するキーボード収納部に表面側または裏面側のいずれかの面を上に向けて装着することにより、装置のキー入力を行うことのできるリバーシブルキーボードを有する情報処理装置であって、
前記キーボード収納部に装着された前記リバーシブルキーボードをロックするロック機構部と、このロック機構部によりロックが解除されると前記リバーシブルキーボードを前記キーボード収納部から押し上げる押上手段とを備え、
前記押上手段は、前記ロック機構部により前記リバーシブルキーボードが前記キーボード収納部にロックされている状態で、前記リバーシブルキーボードのがたつきを防止する拘止手段を兼ねることを特徴とする情報処理装置。
【請求項９】
装置本体のキースイッチ部を有するキーボード収納部に表面側または裏面側のいずれかの面を上に向けて装着することにより、装置のキー入力を行うことのできるリバーシブルキーボードを有する情報処理装置であって、
前記装置本体の側面に形成され、前記リバーシブルキーボードを前記キーボード収納部に挿入するためのキーボード挿入口と、
前記キーボード収納部の上部に配置され、前記キーボード挿入口からキーボード収納部に挿入されたリバーシブルキーボードと連動してキー入力を行う透明タッチパネルと、
前記リバーシブルキーボードの装着方向を検出する第２検出手段と、
この第２検出手段の検出結果に基づき、前記透明タッチパネルの制御機能を切り替える透明タッチパネル入力制御手段とを備えたことを特徴とする情報処理装置。
【手続補正２】
【補正対象書類名】明細書
【補正対象項目名】０００９
【補正方法】変更
【補正の内容】
【０００９】
【特許文献１】特開平６−１８９３８３号公報
【特許文献２】特開２０００−８７４１５号公報
【特許文献３】特開２０００−２６７７９５号公報
【特許文献４】実開平２−１２８３２１号公報
【手続補正３】
【補正対象書類名】明細書
【補正対象項目名】００１３
【補正方法】変更
【補正の内容】
【００１３】
【課題を解決するための手段】
本発明のリバーシブルキーボードは、装置本体のキースイッチ部を有するキーボード収納部に表面側または裏面側のいずれかの面を上に向けて装着することにより、装置のキー入力を行うことのできるリバーシブルキーボードであって、撓みによりキー入力を行う第１キー手段及び第２キー手段と、これら第１キー手段及び第２キー手段を上下に重ね合わせた状態で収納保持するとともに、前記キースイッチ部に対向して開口部が形成されたキーキャビネットとからなり、前記第１キー手段を前記開口部の表面側から押し下げすることにより、その開口部の第１キー手段及び第２キー手段が裏面側に撓み、かつ第２キー手段が開口部から裏面側に突出することにより、対向するキースイッチ部を押し下げすることを特徴としている。
【手続補正４】
【補正対象書類名】明細書
【補正対象項目名】００１７
【補正方法】変更
【補正の内容】
【００１７】
本発明の情報処理装置は、装置本体のキースイッチ部を有するキーボード収納部に表面側または裏面側のいずれかの面を上に向けて装着することにより、装置のキー入力を行うことのできるリバーシブルキーボードと、前記キーボード収納部に装着されたリバーシブルキーボードの装着面側方向に応じてキー入力による制御機能を手動で切り替えるキー入力切替手段とを備えたことを特徴としている。
【手続補正５】
【補正対象書類名】明細書
【補正対象項目名】００１９
【補正方法】変更
【補正の内容】
【００１９】
また、本発明の情報処理装置は、装置本体のキースイッチ部を有するキーボード収納部に表面側または裏面側のいずれかの面を上に向けて装着することにより、装置のキー入力を行うことのできるリバーシブルキーボードを有する情報処理装置であって、前記キーボード収納部に装着された前記リバーシブルキーボードをロックするロック機構部と、このロック機構部によりロックが解除されると前記リバーシブルキーボードを前記キーボード収納部から押し上げる押上手段と、前記リバーシブルキーボードの前記キーボード収納部への装着の有無を検出する第１検出手段とを備え、前記第１検出手段は、前記押上手段による前記リバーシブルキーボードの押し上げ動作に連動してリバーシブルキーボードの装着の有無を検出することを特徴としている。
【手続補正６】
【補正対象書類名】明細書
【補正対象項目名】００２１
【補正方法】変更
【補正の内容】
【００２１】
また、本発明の情報処理装置は、装置本体のキースイッチ部を有するキーボード収納部に表面側または裏面側のいずれかの面を上に向けて装着することにより、装置のキー入力を行うことのできるリバーシブルキーボードを有する情報処理装置であって、前記キーボード収納部に装着された前記リバーシブルキーボードをロックするロック機構部と、このロック機構部により前記リバーシブルキーボードが前記キーボード収納部にロックされている状態で、前記リバーシブルキーボードのがたつきを防止する拘止手段とを備えたことを特徴としている。
【手続補正７】
【補正対象書類名】明細書
【補正対象項目名】００２４
【補正方法】変更
【補正の内容】
【００２４】
また、本発明の情報処理装置は、装置本体のキースイッチ部を有するキーボード収納部に表面側または裏面側のいずれかの面を上に向けて装着することにより、装置のキー入力を行うことのできるリバーシブルキーボードを有する情報処理装置であって、前記装置本体の側面に形成され、前記リバーシブルキーボードを前記キーボード収納部に挿入するためのキーボード挿入口と、前記キーボード収納部の上部に配置され、前記キーボード挿入口からキーボード収納部に挿入されたリバーシブルキーボードと連動してキー入力を行う透明タッチパネルと、前記リバーシブルキーボードの装着方向を検出する第２検出手段と、この第２検出手段の検出結果に基づき、前記透明タッチパネルの制御機能を切り替える透明タッチパネル入力制御手段とを備えたことを特徴としている。